(57)【特許請求の範囲】
【請求項１】
固定長セルを電気信号で受けて該固定長セルを複数の出口ポートの何れかに出力しうる交換部と、該交換部の各出口ポートに接続されて電気信号の固定長セルを光信号に変換して出力する複数の光送信部とをそなえ、入力されてきた電気信号の該固定長セルから帯域情報を測定し、その測定結果に基づいて上記複数の光送信部の中から使用すべき光送信部を決定して、該使用すべき光送信部を駆動させるとともに、該交換部へ入力されてきた固定長セルを該使用すべき光送信部が接続されている出口ポートへ出力させる固定長セル送信装置と、
該固定長セル送信装置に光伝送路を介して接続され、光信号の該固定長セルを電気信号に変換して出力する複数の光受信部をそなえ、該固定長セル送信装置における該使用すべき光送信部に対応した光受信部を駆動させる固定長セル受信装置とをそなえ、
該固定長セル送信装置が、該固定長セルの論理チャネル情報を変更して該交換部での交換を行なうように構成されるとともに、該固定長セル受信装置が、変更された上記の論理チャネル情報を元の論理チャネル情報に変更する手段を有していることを特徴とする、固定長セル伝送装置。
【請求項２】
該固定長セル送信装置が、該使用すべき光送信部の情報を有する制御セルを該固定長セル受信装置へ送信しうるように構成されていることを特徴とする、請求項１記載の固定長セル伝送装置。
【請求項３】
該制御セルを専用で伝送する制御用伝送路が該固定長セル送信装置と該固定長セル受信装置との間に介装されていることを特徴とする、請求項２記載の固定長セル伝送装置。
【請求項４】
該固定長セル送信装置の該交換部の入力側に、到着した該固定長セルを蓄積するバッファが設けられていることを特徴とする、請求項１記載の固定長セル送信装置。
【請求項５】
該固定長セル送信装置が、上記複数の光送信部のうちの使用しない光送信部を障害発生時予備用光送信部として使用しうるように構成されていることを特徴とする、請求項１記載の固定長セル伝送装置。
【請求項６】
該固定長セル受信装置が、該固定長セル送信装置から送信されてくる該固定長セル送信装置における該使用すべき光送信部の情報に基づいて、該対応した光受信部を駆動させるように構成されていることを特徴とする、請求項１記載の固定長セル伝送装置。
【請求項７】
該固定長セル送信装置と該固定長セル受信装置との間に介装される該光伝送路が、上記各光送信部からの光信号を多重する光信号多重伝送路として構成されたことを特徴とする、請求項１記載の固定長セル伝送装置。
【請求項８】
該固定長セル送信装置と該固定長セル受信装置との間に介装される該光伝送路が、上記各光送信部からの光信号をそれぞれ伝送しうる複数の光伝送路からなる空間多重伝送路として構成されたことを特徴とする、請求項１記載の固定長セル伝送装置。
【請求項９】
固定長セルを電気信号で受けて該固定長セルを複数の出口ポートの何れかに出力しうる交換部と、
該交換部の各出口ポートに接続されて電気信号の固定長セルを光信号に変換して出力する複数の光送信部と、
入力されてきた電気信号の該固定長セルから帯域情報を測定し、その測定結果に基づいて上記複数の光送信部の中から使用すべき光送信部を決定して、該使用すべき光送信部を駆動させるとともに、該交換部へ入力されてきた固定長セルを該使用すべき光送信部が接続されている出口ポートへ出力させる帯域測定・制御部とをそなえ、
該帯域測定・制御部が、
入力されてきた電気信号の該固定長セルから帯域情報を測定する帯域情報測定部と、
該帯域情報測定部で測定された該帯域情報に基づいて、上記複数の光送信部の中から該使用すべき光送信部を決定して、該使用すべき光送信部を駆動させるための駆動制御信号を対応する光送信部へ出力するとともに、該交換部へ入力されてきた固定長セルを該使用すべき光送信部が接続されている出口ポートへ出力させるためのルーティング制御信号を該交換部へ出力する送信制御部とをそなえ、さらに、
該帯域情報測定部が、入力されてきた電気信号の該固定長セルから全体の使用帯域情報を測定する全使用帯域情報測定部と、該固定長セルが使用している各論理チャネル毎の使用帯域情報を測定する論理チャネル使用帯域情報測定部とをそなえて構成されたことを特徴とする、固定長セル送信装置。
【請求項１０】
該全使用帯域情報測定部が、該固定長セルを計数するカウンタをそなえて構成されるとともに、
該論理チャネル使用帯域情報測定部が、論理チャネル情報を検出する論理チャネル情報検出部と、該論理チャネル情報検出部で検出された該論理チャネル情報に基づいて同じ論理チャネル情報を有する該固定長セルを計数する複数のカウンタをそなえて構成されていることを特徴とする、請求項９記載の固定長セル送信装置。
【請求項１１】
固定長セルを電気信号で受けて該固定長セルを複数の出口ポートの何れかに出力しうる交換部と、
該交換部の各出口ポートに接続されて電気信号の固定長セルを光信号に変換して出力する複数の光送信部と、
入力されてきた電気信号の該固定長セルから帯域情報を測定し、その測定結果に基づいて上記複数の光送信部の中から使用すべき光送信部を決定して、該使用すべき光送信部を駆動させるとともに、該交換部へ入力されてきた固定長セルを該使用すべき光送信部が接続されている出口ポートへ出力させる帯域測定・制御部とをそなえ、
該帯域測定・制御部が、
入力されてきた電気信号の該固定長セルから帯域情報を測定する帯域情報測定部と、
該帯域情報測定部で測定された該帯域情報に基づいて、上記複数の光送信部の中から該使用すべき光送信部を決定して、該使用すべき光送信部を駆動させるための駆動制御信号を対応する光送信部へ出力するとともに、該交換部へ入力されてきた固定長セルを該使用すべき光送信部が接続されている出口ポートへ出力させるためのルーティング制御信号を該交換部へ出力する送信制御部とをそなえ、さらに、
該帯域情報測定部が、入力されてきた電気信号の該固定長セルから全体の使用帯域情報を測定する全使用帯域情報測定部と、該固定長セルが使用している各論理チャネル毎の使用帯域情報を測定する論理チャネル使用帯域情報測定部とをそなえて構成されるとともに、
該送信制御部が、該全使用帯域情報測定部での測定結果に基づいて上記複数の光送信部の中から該使用すべき光送信部を決定する使用数決定部と、該論理チャネル使用帯域情報測定部での測定結果に基づいて該使用すべき光送信部毎に論理チャネルに対応した使用帯域情報を記憶する記憶部と、該記憶部から記憶情報を読み出すことにより該駆動制御信号を出力する駆動制御信号出力部と、該記憶部から記憶情報を読み出すことにより該ルーティング制御信号を出力するルーティング制御信号出力部とをそなえて構成されたことを特徴とする、固定長セル送信装置。
【請求項１２】
該送信制御部が、上記複数の光送信部のうちの使用しない光送信部には非駆動制御信号を出力するように構成されていることを特徴とする、請求項９または請求項１１記載の固定長セル送信装置。
【請求項１３】
該交換部の入力側に、到着した該固定長セルを蓄積するバッファが設けられていることを特徴とする、請求項９または請求項１１記載の固定長セル送信装置。
【請求項１４】
固定長セルを電気信号で受けて該固定長セルを複数の出口ポートの何れかに出力しうる交換部と、該交換部の各出口ポートに接続されて電気信号の固定長セルを光信号に変換して出力する複数の光送信部をそなえ、入力されてきた電気信号の該固定長セルから帯域情報を測定し、この測定結果に基づいて上記複数の光送信部の中から使用すべき光送信部を決定して、該使用すべき光送信部を駆動させるとともに、該固定長セルの論理チャネル情報を変更して該交換部での交換を行なう固定長セル送信装置に、光伝送路を介して接続されるとともに、
光信号の固定長セルを電気信号に変換して出力する複数の光受信部と、
該固定長セル送信装置における該使用すべき光送信部に対応した光受信部を駆動する受信制御部と、
変更された上記の論理チャネル情報を元の論理チャネル情報に変更する手段とをそなえて構成されたことを特徴とする、固定長セル受信装置。
【請求項１５】
該受信制御部が、該固定長セル送信装置から送信されてくる該固定長セル送信装置における該使用すべき光送信部の情報に基づいて該対応した光受信部を駆動させるように構成されていることを特徴とする、請求項１４記載の固定長セル受信装置。
【請求項１６】
該受信制御部が、該固定長セル送信装置から送信されてくる該固定長セル送信装置における該使用すべき光送信部の情報を有する制御セルを検出することにより、該対応した光受信部を駆動させるように構成されていることを特徴とする、請求項１５記載の固定長セル受信装置。
【発明の詳細な説明】
【０００１】
（目次）
発明の属する技術分野
従来の技術（図１５）
発明が解決しようとする課題
課題を解決するための手段（図１）
発明の実施の形態
（Ａ）第１実施形態の説明（図２〜図８）
（Ｂ）第２実施形態の説明（図９，図１０）
（Ｃ）第３実施形態の説明（図１１）
（Ｄ）第４実施形態の説明（図１２，図１３）
（Ｅ）第５実施形態の説明（図１４）
（Ｆ）その他
発明の効果
【０００２】
【発明の属する技術分野】
本発明は、固定長セル伝送装置並びに固定長セル送信装置及び固定長セル受信装置に関し、特に、ＡＴＭ(Asynchronous Transfer Mode)セルと呼ばれる固定長のデータ（セル）を扱うＡＴＭ光伝送技術（非同期光伝送網）に用いて好適な、固定長セル伝送装置並びに固定長セル送信装置及び固定長セル受信装置に関する。
【０００３】
周知のように、ＡＴＭ伝送技術は、広帯域通信ネットワークを実現する技術として注目されているが、特に近年では、光伝送技術の進歩によって、例えば、複数の異なる光波長情報を有するデータ（ＡＴＭセル）を波長多重して１本当たりの光ファイバにおける使用帯域の有効利用（広帯域化）を図ることが可能な光波長多重技術を利用したＡＴＭ光伝送技術が注目されている。
【０００４】
【従来の技術】
図１５はＡＴＭセル伝送装置の一例を示すブロック図で、この図１５に示すように、ＡＴＭセル伝送装置は、例えば、ＡＴＭ交換機（図示略）などを有するセンタ側に設けられる分離装置１０１と、加入者（ユーザ）側に設けられるＲＴ（Ｒｅｍｏｔｅ  Ｔｅｒｍｉｎａｌ）と呼ばれる多重化装置１０２とをそなえて構成されている。
【０００５】
さらに、この図１５に示すように、分離装置（固定長セル送信装置）１０１は、分離部（ＤＭＵＸ）１０３及び複数の電気／光変換部（Ｅ／Ｏ）１０４−１〜１０４−ｎ（ｎは自然数）をそなえて構成され、多重化装置（固定長セル受信装置）１０２は、各電気／光変換部（Ｅ／Ｏ）１０４−１〜１０４−ｎに対応した光／電気変換部（Ｏ／Ｅ）１０５−１〜１０５−ｎ及び多重部（ＭＵＸ）１０６をそなえて構成されている。
【０００６】
ここで、分離装置１０１において、分離部１０３は、ＡＴＭ交換機側からメタリック信号（電気信号）で受けるＡＴＭセルデータをそのＶＰＩ(Virtual Path Identifier）／ＶＣＩ(Virtual Channel Identifier)に基づき対応する電気／光変換部１０４−ｉ（ただし、ｉ＝１〜ｎ）に分配すべく入力データを分離するものであり、各電気／光変換部（光送信部）１０４−ｉは、それぞれ、入力データを所定の波長λｉを有する光信号に変換するものである。
【０００７】
なお、これらの各電気／光変換部１０４−ｉにおいて光信号に変換されたデータは、ここでは、波長多重されて１本の光伝送路１０７を通じて送信されるようになっている。
一方、多重化装置１０２において、各光／電気変換部（光受信部）１０５−ｉは、それぞれ、光伝送路１０７を通じて入力される波長λｉをもった光信号をメタリック信号に変換するものであり、多重部１０６は、各光／電気変換部１０５−ｉからのメタリック信号（ＡＴＭセル）を時分割に出力することにより多重してユーザ側へ出力するものである。
【０００８】
つまり、上述のＡＴＭセル伝送装置（光波長多重技術を用いたＡＴＭ伝送技術）では、伝送すべきデータ（ＡＴＭセル）を光電変換するに当たって、全体の使用帯域を光送信部１０４−ｉ（光受信部１０５−ｉ）の伝送速度（帯域λ１〜λｎ）に分割して伝送するようになっているのである。なお、この場合、全体の伝送速度は情報の有無に関係なく一定になる。
【０００９】
このような構成により、上述のＡＴＭセル伝送装置では、分離装置１０１から多重化装置１０２までの間、センタ側からのデータを光伝送路１０７を通じて極めて効率良く伝送することができるようになる。従って、例えば、多重化装置１０２をユーザの近辺に配置すれば、センタからのデータを光伝送路１０７によりユーザの近くまでほとんど損失なく伝送することが可能になる。
【００１０】
【発明が解決しようとする課題】
ところで、一般にＡＴＭ伝送技術では、使用帯域がそのときどきにおいて変化するので、物理レイヤ部分に相当する光部は場合によっては全ての光送信部１０４−ｉを用いずともデータ伝送が可能になることがある。しかしながら、上述のＡＴＭセル伝送装置では、常に一定帯域の情報を流すことになっているため、一部の光送信部１０４−ｉからは空きセルを送るなどの処理が必要になる。これは、システム全体の消費電力を浪費するばかりでなく、ＡＴＭの特徴であるＶＰ／ＶＣを用いた柔軟な伝送技術を有効に利用したものとはいえない。
【００１１】
本発明は、このような課題に鑑み創案されたもので、データ（固定長セル）伝送時の使用帯域に応じて使用する光送信部，光受信部を決定することにより、固定長セルの伝送を効率良く且つ柔軟に行なえるようにした、固定長セル伝送装置並びに固定長セル送信装置及び固定長セル受信装置を提供することを目的とする。
【００１２】
【課題を解決するための手段】
図１は本発明の原理ブロック図であるが、この図１に示すように、本発明の固定長セル伝送装置は、固定長セル送信装置１と固定長セル受信装置２とをそなえて構成されており、さらに、固定長セル送信装置１が、交換部１１，複数の光送信部１２−１〜１２−ｎ（ｎは自然数）及び帯域測定・制御部１３をそなえて構成されるとともに、固定長セル受信装置２が、複数の光受信部２１−１〜２１−ｎ及び受信制御部２２をそなえて構成されている。なお、固定長セル送信装置１において、１１−１〜１１−ｎはそれぞれ交換部１１の出口ポートである。
【００１３】
ここで、固定長セル送信装置（以下、単に「送信装置」という）１において、交換部１１は、固定長セルを電気信号で受けてその固定長セルを複数の出口ポート１１−１〜１１−ｎの何れかに出力しうるものであり、各光送信部１２−ｉ（ただし、ｉ＝１〜ｎ）は、交換部１１の各出口ポート１１−ｉに接続されて電気信号の固定長セルを光信号に変換して出力するものである。
【００１４】
また、帯域測定・制御部１３は、入力されてきた電気信号の固定長セルから帯域情報を測定し、その測定結果に基づいて各光送信部１２−ｉの中から使用すべき光送信部１２−ｉを決定して、その使用すべき光送信部１２−ｉを駆動させるとともに、交換部１１へ入力されてきた固定長セルを使用すべき光送信部１２−ｉが接続されている出口ポート１１−ｉへ出力させるものである。
【００１５】
一方、固定長セル受信装置（以下、単に「受信装置」という）２において、各光受信部２１−ｉは、それぞれ、上述の送信装置１に光伝送路３を介して接続され、光信号の固定長セルを電気信号に変換して出力するものであり、受信制御部２２は、送信装置１における使用すべき光送信部１２−ｉに対応した光受信部２１−ｉを駆動させるものである。
【００１６】
上述のごとく構成された本発明の固定長セル伝送装置では、送信装置１において、入力固定長セルの帯域情報に基づきデータ（固定長セル）送信に必要な分だけの光送信部１２−ｉが駆動され、その光送信部１２−ｉのみにデータが供給されて光信号に変換された固定長セルが受信装置２へ出力される。一方、受信装置２では、受信制御部２２によって送信装置１において駆動されている光送信部１２−ｉに対応した光受信部２１−ｉが駆動されて、受信した光信号の固定長セルが電気信号に変換される。
【００１７】
つまり、上述の固定長セル伝送装置は、入力固定長セルの帯域情報に基づきデータ伝送に必要な分だけの光送信部１２−ｉ，光受信部２１−ｉのみを使用（駆動）して、空きセル等を送信することなく、効率良くデータ伝送を行なうのである。
このため、例えば、送信装置１は、使用すべき光送信部１２−ｉの情報を有する制御セルを受信装置２へ送信しうるように構成される。これにより、受信装置２では、駆動すべき上記光送信部１２−ｉに対応した光受信部２１−ｉを、上記制御セルを検出することで把握できる。
【００１８】
なお、この場合、上記の制御セルを専用で伝送する制御用伝送路を送信装置１と受信装置２との間に介装すれば、上記制御セルを固定長セルとは別個に受信装置２側へ送信できるので、受信装置２では、受信固定長セル群から上記制御セルを検出するといった特別な検出処理を施すことなく、上記制御セルを検出できる。
【００１９】
ところで、上述の送信装置１の交換部１１の入力側には、到着した固定長セルを蓄積するバッファを設けてもよい。これにより、送信装置１は、入力固定長セルのデータ量や使用帯域に変化があった場合でも、固定長セルを損失することなく伝送することが可能になる。
また、本固定長セル伝送装置は、送信装置１を、固定長セルの論理チャネル情報を変更して交換部１１での交換を行なうように構成するとともに、受信装置２を、変更された上記の論理チャネル情報を元の論理チャネル情報に変更するように構成してもよい。これにより、送信装置１では、固定長セルの論理チャネル情報の変更によって、使用すべき（駆動されている）光送信部１２−ｉの接続されている交換部１１の出口ポート１１−ｉに固定長セルが出力される一方、受信装置２では、送信装置１で変更された論理チャネル情報が元の論理チャネル情報に変更されるので、送信装置１と受信装置２との間での固定長セルの使用論理チャネルを伝送装置内で独立して自由に設定することができる。
【００２０】
なお、送信装置１において、上記複数の光送信部１２−ｉのうちの使用しない光送信部１２−ｉは、障害発生時予備用光送信部として使用するようにしてもよい。この場合、送信装置１では、何らかの障害が発生して使用中の光送信部１２−ｉが機能しなくなったとしても、その光送信部１２−ｉに代わって上記の予備用光送信部が駆動されることによって、正常に、固定長セルの送信処理を継続することが可能になる。
【００２１】
また、上述の受信装置２（受信制御部２２）は、送信装置１から送信されてくる送信装置１における使用すべき光送信部１２−ｉの情報に基づいて、対応した光受信部２１−ｉを駆動させるように構成してもよい。この場合、受信装置２では、確実に、送信装置１からの光信号の固定長セルを対応する光受信部２１−ｉで受信することができる。
【００２２】
具体的に、上述の受信制御部２２は、例えば、送信装置１から送信されてくる送信装置１における使用すべき光送信部１２−ｉの情報を有する制御セルを検出することにより、対応した光受信部２１−ｉを駆動させるように構成すれば、光送信部１２−ｉと対になる光受信部２１−ｉを確実に駆動して機能させることができる。
【００２３】
ところで、図１では、送信装置１と受信装置２との間に介装された光伝送路３が、各光送信部１２−ｉからの光信号を多重する光信号多重伝送路として構成されており、これにより、１本の光伝送路における帯域の有効利用を図るようにしている。ただし、この光伝送路３は、各光送信部１２−ｉからの光信号をそれぞれ伝送しうる複数の光伝送路からなる空間多重伝送路として構成してもよく、この場合は、光送信部１２−ｉと光受信部２１−ｉとが１対１で接続されるので、例えば、光送信部１２−ｉ，光受信部２１−ｉの増設などにも柔軟に対応することが可能になる。
【００２４】
次に、上述の帯域測定・制御部１３は、例えば、下記項目（１），（２）に示す各部をそなえて構成される。
（１）入力されてきた電気信号の固定長セルから帯域情報を測定する帯域情報測定部
（２）上記の帯域情報測定部で測定された帯域情報に基づいて、各光送信部１２−ｉの中から使用すべき光送信部１２−ｉを決定して、使用すべき光送信部１２−ｉを駆動させるための駆動制御信号を対応する光送信部１２−ｉへ出力するとともに、交換部１１へ入力されてきた固定長セルを使用すべき光送信部１２−ｉが接続されている出口ポート１１−ｉへ出力させるためのルーティング制御信号を交換部１１へ出力する送信制御部
これにより、この場合の帯域測定・制御部１３では、上記駆動制御信号により必要な分の光送信部１２−ｉを駆動させて、上記ルーティング制御信号により交換部１１からその光送信部１２−ｉへ固定長セルを供給することができる。
【００２５】
このとき、上述の帯域情報測定部は、入力されてきた電気信号の固定長セルから全体の使用帯域情報を測定する全使用帯域情報測定部と、固定長セルが使用している各論理チャネル毎の使用帯域情報を測定する論理チャネル使用帯域情報測定部とをそなえて構成してもよい。この場合、この帯域情報測定部では、使用すべき光送信部１２−ｉの決定に必要な情報として、全体の使用帯域情報と各論理チャネル毎の使用帯域情報とを確実に得ることができる。
【００２６】
さらに、上述の全使用帯域情報測定部は、固定長セルを計数するカウンタをそなえ、論理チャネル使用帯域情報測定部は、論理チャネル情報を検出する論理チャネル情報検出部と、該論理チャネル情報検出部で検出された該論理チャネル情報に基づいて同じ論理チャネル情報を有する固定長セルを計数する複数のカウンタをそなえるようにしてもよい。
【００２７】
これにより、この場合の全使用帯域情報測定部では、上記カウンタの計数値が全使用帯域情報となり、論理チャネル使用帯域情報測定部では、上記各カウンタの計数値が各論理チャネル毎の使用帯域情報となるので、容易に、上記各部の機能が実現される。
一方、上述の送信制御部は、例えば、下記項目（１）〜（４）に示す各部をそなえて構成される。
【００２８】
（１）上述の全使用帯域情報測定部での測定結果に基づいて各光送信部１２−ｉの中から使用すべき光送信部１２−ｉを決定する使用数決定部
（２）上述の論理チャネル使用帯域情報測定部での測定結果に基づいて使用すべき光送信部毎に論理チャネルに対応した使用帯域情報を記憶する記憶部
（３）この記憶部から記憶情報を読み出すことにより上記の駆動制御信号を出力する駆動制御信号出力部
（４）上述の記憶部から記憶情報を読み出すことにより上記のルーティング制御信号を出力するルーティング制御信号出力部
これにより、この場合の送信制御部では、記憶部における論理チャネルに対応した使用帯域情報を順次更新してゆくので、常に必要な分だけの光送信部１２−ｉを駆動させてその光送信部１２−ｉに固定長セルを供給することができる。
【００２９】
なお、このとき、上述の送信制御部は、各光送信部１２−ｉのうちの使用しない光送信部１２−ｉには非駆動制御信号を出力するようにしてもよい。これにより、この場合は、より確実に、必要な分だけの光送信部１２−ｉのみを駆動させることができる。
また、図１に示す固定長セル伝送装置は、送信装置１と受信装置２とを両方そなえて構成されているが、いずれか一方のみをそなえて、送信専用の伝送装置あるいは受信専用の伝送装置として構成してもよい。
【００３０】
【発明の実施の形態】
以下、図面を参照して本発明の実施の形態を説明する。
（Ａ）第１実施形態の説明
図２は本発明の第１実施形態としてのＡＴＭセル伝送装置の構成を示すブロック図であるが、この図２に示すように、本実施形態のＡＴＭセル（固定長セル）伝送装置は、ＡＴＭセル送信装置１とＡＴＭセル受信装置２とをそなえるとともに、各装置１，２間に光ファイバからなる光伝送路３が介装されて構成されている。
【００３１】
さらに、この図２に示すように、上述のＡＴＭセル送信装置１は、送信側ＡＴＭスイッチ／クロスコネクト（ＳＷ／ＸＣ）部１１，複数の電気／光（Ｅ／Ｏ）変換部１２−１〜１２−ｎ（＃１〜＃ｎ），帯域測定・制御部１３及びバッファ１４をそなえて構成され、ＡＴＭセル受信装置２は、各Ｅ／Ｏ変換部１２−ｐ（ただし、ｐ＝１〜ｎ）に対応した複数の光／電気（Ｏ／Ｅ）変換部２１−ｐ（Ｏ／Ｅ＃ｐ），受信制御部２２，受信側ＡＴＭスイッチ（ＭＵＸ）２３及び各Ｏ／Ｅ変換部２１−ｐに対応した複数のバッファ２４−ｐをそなえて構成されている。なお、符号１１−ｐで示すものは送信側ＡＴＭＳＷ／ＸＣ部１１の出口ポートである。
【００３２】
ここで、まずＡＴＭセル送信装置（以下、単に「送信装置」ということがある）１において、送信側ＡＴＭＳＷ／ＸＣ部（交換部）１１は、ＡＴＭ交換機（図示略）等から出力されるＡＴＭセルをメタリック信号（電気信号）で受けてそのＡＴＭセルを各出口ポート１１−ｐの何れかに出力しうるものであり、各Ｅ／Ｏ変換部（光送信部）１２−ｐは、この送信側ＡＴＭＳＷ／ＸＣ部１１の各出口ポート１１−ｐに接続されてメタリック信号のＡＴＭセルを所定の帯域（周波数）λｐを有する光信号に変換して出力するものである。
【００３３】
また、帯域測定・制御部１３は、入力されてきたメタリック信号のＡＴＭセルから帯域情報を測定し、この測定結果に基づいて各Ｅ／Ｏ変換部１２−ｐの中から使用すべきＥ／Ｏ変換部１２−ｐを決定して、その使用すべきＥ／Ｏ変換部１２−ｐを駆動させるとともに、送信側ＡＴＭＳＷ／ＸＣ部１１へ入力されてきたＡＴＭセルを使用すべきＥ／Ｏ変換部１２−ｐが接続されている出口ポート１１−ｐへ出力させるものである。
【００３４】
なお、バッファ１４は、到着したＡＴＭセルを蓄積するもので、ここでは、図２に示すように送信側ＡＴＭＳＷ／ＸＣ部（交換部）１１の入力側に設けられることにより、入力ＡＴＭセルのデータ量が急激に増加した場合でも、ＡＴＭセルを損失することなく伝送できるようにしている。
一方、ＡＴＭセル受信装置（以下、単に「受信装置」ということがある）２において、各Ｏ／Ｅ変換部（光受信部）２１−ｐは、それぞれ、上述の送信装置１（対応するＥ／Ｏ変換部１２−ｐ）に光伝送路３を介して接続され、光信号のＡＴＭセルをメタリック信号に変換して出力するものであり、受信制御部２２は、送信装置１における使用すべき（駆動されている）Ｅ／Ｏ変換部１２−ｐに対応したＯ／Ｅ変換部２１−ｐを駆動させるものである。なお、この受信制御部２２の構成については後述する。
【００３５】
また、受信側ＡＴＭスイッチ２３は、上述の各Ｏ／Ｅ変換部２１−ｐからのメタリック信号のＡＴＭセルを受信制御部２２からの制御信号に応じて選択的に出力することにより、ＡＴＭセルを時分割に多重して出力するものであり、各バッファ２４−ｐは、送信装置１におけるものと同様に、到着したＡＴＭセルを、一旦、蓄積して、入力（受信）ＡＴＭセルのデータ量が急激に増加した場合でも、ＡＴＭセルを損失することなく伝送できるようにするためのものである。
【００３６】
上述のごとく構成された本実施形態のＡＴＭセル伝送装置では、送信装置１において、入力ＡＴＭセルの帯域情報に基づきデータ（ＡＴＭセル）送信に必要な分だけのＥ／Ｏ変換部１２−ｐが帯域・測定制御部１３により駆動され、そのＥ／Ｏ変換部１２−ｐから光信号のＡＴＭセルが出力される。一方、受信装置２では、受信制御部２２によって、送信装置１において駆動されているＥ／Ｏ変換部１２−ｐに対応したＯ／Ｅ変換部２１−ｐが駆動される。
【００３７】
つまり、上述のＡＴＭセル伝送装置は、入力ＡＴＭセルの帯域情報に基づきデータ伝送に必要な分だけのＥ／Ｏ変換部１２−ｐ，Ｏ／Ｅ変換部２１−ｐのみを使用（駆動）して、空きセル等を送信することなく、効率良くデータ伝送を行なうのである。
このため、まず、上述の帯域測定・制御部１３は、例えば図３に示すように、帯域情報測定部１３Ａ，送信制御部１３Ｂ，制御セル生成部（ＣＣＧ:Control Cell Generator)１３Ｃ及びセレクタ（ＳＥＬ）１３Ｄをそなえて構成される。
【００３８】
ここで、上述の帯域情報測定部１３Ａは、入力されてきたメタリック信号のＡＴＭセルから帯域情報を測定するもので、本実施形態では、図３に示すように、ＶＰＩ／ＶＣＩ検出部１３１，カウンタ１３２及びセレクタ・カウンタ部１３３をそなえて構成されており、カウンタ（全使用帯域情報測定部）１３２は、単位時間当たりの入力ＡＴＭセルの総数をカウント（計数）することによりＡＴＭセル全体の使用帯域情報を測定するものである。
【００３９】
また、ＶＰＩ／ＶＣＩ検出部１３１及びセレクタ・カウンタ部１３３は、ＡＴＭセルが使用している各ＶＰＩ／ＶＣＩ毎の使用帯域情報を測定する論理チャネル使用帯域情報測定部としての機能を果たすもので、ＶＰＩ／ＶＣＩ検出部（論理チャネル情報検出部）１３１は、入力ＡＴＭセルからそのＶＰＩ／ＶＣＩ（論理チャネル情報）を検出するものであり、セレクタ・カウンタ部１３３は、このＶＰＩ／ＶＣＩ検出部１３１で検出されたＶＰＩ／ＶＣＩに基づいて同じＶＰＩ／ＶＣＩを有するＡＴＭセルの数をカウントすることによりＶＰＩ／ＶＣＩ毎の使用帯域情報を測定するものである。
【００４０】
このため、上述のセレクタ・カウンタ部１３３は、具体的には、例えば図４に示すように、セレクタ１３６及び複数のカウンタ１３７−１〜１３７−Ｍ（ただし、Ｍは自然数で存在しうるＶＰＩ／ＶＣＩ値の全種類数に相当する）をそなえて構成されており、上述のＶＰＩ／ＶＣＩ検出部１３１で検出されたＶＰＩ／ＶＣＩの値（ＶＰＩ／ＶＣＩ検出信号）に応じてセレクタ１３６の出力が切り替えられることにより、各ＶＰＩ／ＶＣＩ値に対応するカウンタ１３７−Ｊ（ただし、Ｊ＝１〜Ｍ）において同じＶＰＩ／ＶＣＩ値のＡＴＭセルがカウントされるようになっている。
【００４１】
次に、送信制御部１３Ｂは、上述の帯域情報測定部１３Ａで測定された帯域情報に基づいて、各Ｅ／Ｏ変換部１２−ｐの中から使用すべきＥ／Ｏ変換部１２−ｐを決定して、その使用すべきＥ／Ｏ変換部１２−ｐを駆動させるための駆動制御情報（駆動制御信号）を対応するＥ／Ｏ変換部１２−ｐへ出力するとともに、送信側ＡＴＭＳＷ／ＸＣ部１１へ入力されてきたＡＴＭセルを使用すべきＥ／Ｏ変換部１２−ｐが接続されている出口ポート１１−ｐへ出力させるためのルーティング制御信号を送信側ＡＴＭＳＷ／ＸＣ部へ出力するものである。
【００４２】
このため、上記送信制御部１３Ｂは、図３に示すように、演算装置（ＣＰＵ）１３４及びメモリ１３５をそなえて構成されており、演算装置１３４は、図６，図７にて後述するように、帯域情報測定部１３Ａでの測定結果とともに、制御セル（後述）用に確保すべきＶＰＩ／ＶＣＩ，使用帯域（いずれも固定値）を各Ｅ／Ｏ変換部１２−ｐ毎にメモリ１３５に記憶させ、その記憶情報に基づき使用するＥ／Ｏ変換部１２−ｐの決定，そのＥ／Ｏ変換部１２−ｐへのＶＰＩ／ＶＣＩ，使用帯域の割り当て等の情報更新操作を行なったのち、その記憶情報を読み出すことにより、上記の駆動制御信号，ルーティング制御信号を出力するものである。
【００４３】
つまり、この演算装置１３４は、以下のような各機能部分を有していることになる。
（１）カウンタ１３２での測定結果（カウント値）に基づいて各Ｅ／Ｏ変換部１２−ｐの中から使用すべきＥ／Ｏ変換部１２−ｐを決定する使用数決定部としての機能
（２）メモリ１３５からその記憶情報を読み出すことにより駆動制御信号を出力する駆動制御信号出力部としての機能
（３）メモリ１３５からその記憶情報を読み出すことによりルーティング制御信号を出力するルーティング制御信号出力部としての機能
なお、メモリ（記憶部）１３５は、ＶＰＩ／ＶＣＩ検出部１３１及びセレクタ・カウンタ部１３３による測定結果（カウント値）に基づいて使用すべきＥ／Ｏ変換部１２−ｐ毎にＶＰ／ＶＣに対応した使用帯域情報を記憶するものである。このメモリ１３５は、演算装置１３４内に内蔵されている場合もある。
【００４４】
また、図３において、制御セル生成部１３Ｃは、使用すべきＥ／Ｏ変換部１２−ｐとして決定されたＥ／Ｏ変換部１２−ｐの情報（例えば、装置番号＃１〜＃ｎ）に、送信制御部１３Ｂからのタグ情報（ルーティング情報：制御セル用に確保されたＶＰＩ／ＶＣＩ，使用帯域）を付加することにより制御セルを生成するものであり、セレクタ１３Ｄは、送信制御部１３Ｂからのルーティング情報に応じてその出力が切り替えられることにより、入力ＡＴＭセルと制御セル生成部１３Ｃで生成された制御セルとを選択的に出力するものである。
【００４５】
つまり、本実施形態の送信装置１は、使用すべきＥ／Ｏ変換部１２−ｐの情報を有する制御セルを受信装置２へ送信しうるようになっているのである。
次に、図５は上述の送信側ＡＴＭＳＷ／ＸＣ部１１の構成を示すブロック図で、この図５に示すように、本実施形態の送信側ＡＴＭＳＷ／ＸＣ部１１は、ＶＰＩ／ＶＣＩ検出部１１１，照合部１１２及び送信側ＡＴＭスイッチ（ＡＴＭＳＷ：ＭＵＸ）１１３を有して構成されている。
【００４６】
ここで、ＶＰＩ／ＶＣＩ検出部１１１は、上述の帯域情報測定部１３Ａ（図３参照）におけるものと同様に、入力ＡＴＭセルのタグ情報からＶＰＩ／ＶＣＩを検出するものであり、照合部１１２は、このＶＰＩ／ＶＣＩ検出部１１１で検出されたＶＰＩ／ＶＣＩと上述の演算装置１３４から供給されるルーティング情報とを照合し、その照合結果に応じて、マトリックススイッチ等で実現されるＡＴＭスイッチ１１３を切り替えることにより、ＡＴＭセル（制御セルも含む）を、使用すべきＥ／Ｏ変換部１２−ｐへ供給すべく所定の出口ポート１１−ｐに出力させるものである。
【００４７】
次に、受信装置２において、上述の受信制御部２２は、図３に示すように、制御セル検出部２２Ａ及び光受信・交換制御部２２Ｂを有して構成されており、制御セル検出部２２Ａは、各Ｏ／Ｅ変換部２１−ｐの出力から上述のごとく送信装置１から送られてくる制御セルを検出するものであり、光受信・交換制御部２２Ｂは、この制御セル検出部２２Ａでの検出結果に応じて、Ｏ／Ｅ変換部２１−ｐの駆動および受信側ＡＴＭスイッチ１１３の切り替えを制御するものである。
【００４８】
以下、上述のごとく構成された本実施形態におけるＡＴＭセル伝送装置の動作（動作アルゴリズム）について、図６及び図７を併用して詳述する。
まず、本ＡＴＭセル伝送装置に入力されたＡＴＭセルは、帯域測定・制御部１３の帯域情報測定部１３Ａ及び送信制御部１３Ｂにより、そのＶＰ／ＶＣの帯域がＶＣレベルまで測定される。具体的に、このとき、帯域情報測定部１３Ａでは、まず図６に示すように、カウンタ１３２により単位時間当たりの入力ＡＴＭセルの総数をカウントするとともに、ＶＰＩ／ＶＣＩ検出部１３１により入力ＡＴＭセルのＶＰ／ＶＣをチェック（ＶＰＩ／ＶＣＩを検出）し同じＶＰＩ／ＶＣＩを有するＡＴＭセルの数をセレクタ・カウンタ部１３３でカウントしてＶＰＩ／ＶＣＩ毎のＡＴＭセル数を得る（ステップＳ１）。
【００４９】
具体的に、セレクタ・カウンタ部１３３では、ＶＰＩ／ＶＣＩ検出部１３１からのＶＰＩ／ＶＣＩ検出信号に応じてセレクタ１３６（図４参照）の出力が切り替えられることにより、各カウンタ１３７−Ｊにおいてそれぞれ自己が担当するＶＰＩ／ＶＣＩを有するＡＴＭセルの計数が行なわれる。
そして、帯域情報測定部１３Ａは、得られた上記の各カウント値を送信制御部１３Ｂの演算装置１３４に渡す（ステップＳ２）。すると、演算装置１３４は、まず、カウンタ１３２により得られたカウント値（全ＡＴＭセル数）に基づき、全てのＡＴＭセルによる使用帯域（全使用帯域）を測定（算出）する（ステップＳ２）。
【００５０】
つまり、本実施形態のＡＴＭセル伝送装置（送信装置１）は、上記の全使用帯域情報及びＶＰ／ＶＣ毎の使用帯域情報を、それぞれ、カウンタ１３２，１３７−Ｊの計数値（カウント値）により得ることで、極めて容易に且つ簡素に、上記の機能を実現しているのである。
さらに、演算装置１３４は、得られた全使用帯域情報とセレクタ・カウンタ部１３３からのＶＰＩ／ＶＣＩ毎のＡＴＭセル数とに基づき、各ＶＰ／ＶＣに割り当ててある使用帯域を測定し（ステップＳ３）、各測定結果（全使用帯域，ＶＰＩ／ＶＣＩ，各ＶＰ／ＶＣに割り当ててある使用帯域）をメモリ１３５に蓄える（ステップＳ５）。
【００５１】
ただし、このとき演算装置１３４は、上記の各測定結果とともに、制御セル（各ＶＰ／ＶＣをどのＥ／Ｏ変換部１２−ｐに振り分けるかという情報を有するセル）のためのＶＰＩ／ＶＣＩ及び使用帯域をメモリ１３５に蓄える（ステップＳ４）。なお、この制御セル用のＶＰＩ／ＶＣＩ及び使用帯域は予め設定しておく。
【００５２】
その後、演算装置１３４は、メモリ１３５から記憶情報（全使用帯域，ＶＰＩ／ＶＣＩ，各ＶＰ／ＶＣに割り当ててある使用帯域）を読み出し、その情報に基づいて、使用すべきＥ／Ｏ変換部（以下、光送信部，光送信器又は光送信モジュールということがある）１２−ｐ，その光送信部１２−ｐへのＶＰ／ＶＣの割り当て（光送信部１２−ｐへの使用経路の振り分け）を決定し、使用すべき光送信部１２−ｐへの設定を駆動制御情報により与え、送信側ＡＴＭＳＷ／ＸＣ部１１への設定をルーティング情報により与える。
【００５３】
具体的に、このとき演算装置１３４は、例えば図７に示すような手順で、各ＶＰ／ＶＣの使用経路の振り分けを行なう。
即ち、まず、演算装置１３４は、メモリ１３５から全使用帯域情報を読み出し（ステップＳ６）、その情報（全体の使用帯域の状況）に基づき、使用すべき光送信モジュール１２−ｐの数Ｎ（Ｎは自然数）を次式（１）に示す演算により算出し、最低限必要な光送信モジュールの使用数Ｎを決定する。ただし、次式（１）の演算では小数点以下の端数は切り上げるものとする（ステップＳ７）。
【００５４】
使用数Ｎ＝全使用帯域（ｂｐｓ）／１つ当たりの光送信器１２−ｐの伝送帯域（伝送速度）（ｂｐｓ）・・・（１）
つまり、上述の伝送装置（送信装置１）は、使用すべき光送信モジュール１２−ｐの決定に際して、必要な情報として全使用帯域情報と各ＶＰ／ＶＣ毎の使用帯域情報とを得て、上記式（１）で表されるような極めて単純な演算で、必要な帯域分の光送信モジュール１２−ｐの数Ｎを算出・決定するのである。従って、常に高速に、使用すべき光送信モジュール１２−ｐを決定でき、本伝送装置の処理能力が大幅に向上する。
【００５５】
さらに、演算装置１３４は、メモリ１３５から各ＶＰＩ／ＶＣＩにおける使用帯域情報を読み出し（ステップＳ８）、その情報と上述のごとく得られた使用数Ｎとに基づき、各ＶＰ／ＶＣをどの光送信モジュール１２−ｐに出力する（割り当てる）かを決定する（このとき、ＶＣの帯域は分割しない）（ステップＳ９）。
【００５６】
ただし、この決定は、各光送信モジュール１２−ｐの伝送速度及び各ＶＰ／ＶＣの使用帯域を考慮して、全体の使用帯域が、Ｎ個分の各光送信モジュール１２−ｐにより提供可能な伝送帯域（＝各光送信モジュール１２−ｐの伝送速度×使用数Ｎ）を超えないように行なわれる。
例えば、｛ＶＰＩ，ＶＣＩ｝＝｛Ｐｊ，Ｃｊ｝（ｊ＝１〜ｍ）の使用帯域が“ａｊ”（ｂｐｓ）、各光送信モジュール１２−ｉの最大伝送速度が“ｂ”（ｂｐｓ）（ただし、ｂ＞ａｊ）で、使用数Ｎ＝ｉ（光送信モジュール１２−１〜１２−ｉを使用する）と決定されると、使用する全ての光送信モジュール１２−１〜１２−ｉに対して、全ての使用帯域“ａｊ”を不足することないように、且つ、１つ当たりの光送信モジュール１２−１〜１２−ｉに割り当てる使用帯域“ａｊ”の総和が最大伝送速度“ｂ”を超えないように各ＶＰ／ＶＣが各光送信モジュール１２−１〜１２−ｉに振り分けられる。
【００５７】
ただし、上記の処理において、光送信モジュール１２−１〜１２−ｉのうち、１つでも割り当てた使用帯域“ａｊ”の総和が最大伝送速度“ｂ”を超えたものがあった場合は、使用数Ｎを１つ増やし（Ｎ＝ｉ＋１）て再割り当てが行なわれる。なお、帯域測定・制御部１３と送信側ＡＴＭＳＷ／ＸＣ部１１との間には、図３に示すようにバッファ３が設けられているので、使用帯域が変更されても遅延なく上記の帯域の再振り分けを行なうことが可能である。
【００５８】
そして、演算装置１３４は、上記の使用帯域“ａｊ”に相当するＶＰ／ＶＣ（｛ＶＰＩ，ＶＣＩ｝＝｛Ｐｊ，Ｃｊ｝）をルーティング情報として引き出し、送信側ＡＴＭＳＷ／ＸＣ部１１（図２，図５参照）への設定を与える。また、使用すべき光送信モジュール１２−１〜１２−ｉへは駆動制御情報が供給され、その光送信モジュール１２−１〜１２−ｉが駆動される。
【００５９】
つまり、上述の送信装置１では、使用すべき光送信モジュール１２−１〜１２−ｉ毎にＶＰ／ＶＣに対応した使用帯域情報をメモリ１３５に記憶させておき、その記憶情報を順次更新しながら読み出すことにより、駆動制御情報，ルーティング情報を得るようになっているのである。従って、極めて単純な制御で、常に、必要な分だけの光送信モジュール１２−１〜１２−ｉを駆動させてその光送信モジュール１２−１〜１２−ｉにデータ（ＡＴＭセル）を供給することができ、確実に、本装置の簡素化，制御の高速化等が図られる。
【００６０】
なお、使用しない光送信モジュール１２−（ｉ＋１）〜１２−ｎへは、使用しない旨の信号（非駆動制御信号）を供給して、その光送信モジュール１２−（ｉ＋１）〜１２−ｎの駆動を停止させれば、より確実に、必要な分だけの光送信モジュール１２−１〜１２−ｉのみを駆動させることができるので、本伝送装置の信頼性のさらなる向上に大いに寄与する。
【００６１】
次に、送信側ＡＴＭＳＷ／ＸＣ部１１では、上述のごとく得られたルーティング情報に応じて送信側ＡＴＭスイッチ１１３を切り替えることにより、入力ＡＴＭセル（メタリック信号）を使用すべき光送信モジュール１２−１〜１２−ｉが接続された出口ポート１１−１〜１１−ｉに振り分ける。そして、光送信モジュール１２−１〜１２−ｉは、メタリック信号のＡＴＭセルを光信号（波長λ１〜λｉ）に変換したのち光伝送路３を通じて受信装置２側へ送信する。
【００６２】
つまり、上述の使用すべき光送信モジュール１２−１〜１２−ｉは、演算装置１３４から駆動制御信号を受けることにより駆動され、送信側ＡＴＭＳＷ／ＸＣ部１１へのルーティング情報により、接続されている出口ポート１１−１〜１１−ｉからＡＴＭセルの供給を受けるようになっているのである。従って、送信すべきＡＴＭセルは、確実に、光信号に変換されて出力され、本伝送装置の信頼性にも大いに寄与する。
【００６３】
なお、このとき、使用する光経路（ＶＰ／ＶＣ）を１本用いて（制御セルにより）、使用している光送信モジュール１２−１〜１２−ｉの使用状況（使用モジュール１２−１〜１２−ｉとその使用モジュール１２−１〜１２−ｉが確保しているＶＰ／ＶＣ）が受信装置２に伝えられる。この制御セル用の帯域は予め演算装置１３４の中に使用帯域“ａｊ”の１つとして含めてあるので障害は発生しない。
【００６４】
一方、受信装置２では、光送信モジュール１２−ｐの使用状況についての情報（制御セル）を受信制御部２２にて受け取り、その情報に基づいて、受信制御部２２が、Ｏ／Ｅ変換部（以下、光受信部又は光受信モジュールということがある）２１−ｐ及び受信側ＡＴＭスイッチ２３の設定を行なう。
具体的に、受信制御部２２では、まず、制御セル検出部２２Ａにおいて送信装置１からの制御セルを検出し、その制御セルが有する情報に応じて、駆動されている光送信モジュール１２−１〜１２−ｉに対応する光受信モジュール２１−１〜２１−ｉを駆動させる（使用しないものについては駆動を停止する）とともに、受信側ＡＴＭスイッチ２３の設定を行なう。なお、本実施形態では、この設定の時間を考慮して、受信側ＡＴＭスイッチ２３の前段に、送信側ＡＴＭＳＷ／ＸＣ部１１の入力側と同様に、バッファ２４−ｐを設けている。
【００６５】
これにより、各光受信モジュール２１−１〜２１−ｉにおいて光／電気変換されたＡＴＭセルは、送信装置１の入力側と同様の元の状態に（シリアルに）戻されて出力される。このとき、ＶＰ／ＶＣの情報は変換されていないまま送信装置１から送信されているので、受信装置２では、入力ＡＴＭセルのヘッダ（ＶＰ／ＶＣ）の値を変更することなく元に戻すことができる上に、ＶＣ単位で伝送されているのでセル順序についても考慮は不要である。
【００６６】
以上のように、本実施形態におけるＡＴＭセル伝送装置によれば、送信装置１では、入力ＡＴＭセルの帯域情報に基づきデータ（ＡＴＭセル）送信に必要な分だけの光送信部１２−ｐのみを駆動し、受信装置２では、送信装置１で駆動されている光送信部１２−ｐに対応した光受信部２１−ｐのみを駆動することにより、データ伝送に必要な分だけの光送信部１２−ｐ，光受信部２１−ｐのみを使用して、空きセル等を送信することなく、効率良くデータ伝送を行なうので、本伝送装置全体の消費電力を大幅に削減することができるとともに、ＡＴＭセルの伝送を柔軟に行なうことができる。
【００６７】
また、上述の伝送装置では、送信装置１から、使用すべき光送信モジュール１２−１〜１２−ｉの情報を有する制御セルを受信側に送信し、受信装置２において、この制御セルを検出することで駆動すべき光受信モジュール２１−１〜２１−ｉを把握するので、受信装置２は、使用すべき光受信モジュール２１−１〜２１−ｉを、常に確実に、駆動することができ、本伝送装置の信頼性の向上に大いに寄与する。さらに、受信装置２では、入力データから制御セルを検出するだけでよいので、極めて単純な制御で、使用すべき光受信モジュール２１−１〜２１−ｉを確実に駆動して機能させることができる。
【００６８】
さらに、上述の伝送装置では、送信装置１の送信側ＡＴＭＳＷ／ＸＣ部１１の入力側に、到着したＡＴＭセルを蓄積するバッファ１４を設けているので、送信装置１では、入力ＡＴＭセルのデータ量や使用帯域情報に変更があった場合でも、ＡＴＭセルを損失することなく伝送することが可能である。従って、本伝送装置の伝送時の信頼性が大幅に向上する。
【００６９】
また、上述の伝送装置では、送信装置１と受信装置２との間に介装された光伝送路３が、各光送信モジュール１２−ｐからの光信号を多重する光信号多重伝送路として構成されることにより、１本の光伝送路３における帯域の有効利用が図られているので、より効率的に、ＡＴＭセルの伝送を行なうことができるとともに、光伝送路３のコストの低減にも大いに寄与する。
【００７０】
なお、上記の光伝送路３は、例えば図８に示すように、各光送信部１２−ｐからの光信号をそれぞれパラレルに伝送しうる複数の光伝送路（光ファイバ）３−ｐからなる空間多重伝送路３′として構成してもよく、この場合は、光送信部１２−ｐと光受信部２１−ｐとが１対１で接続されるので、例えば、光送信部１２−ｐ，光受信部２１−ｐの増設などにも柔軟に対応することが可能になり、本伝送装置構成上の柔軟性にさらに寄与することになる。
【００７１】
（Ｂ）第２実施形態の説明
図９は本発明の第２実施形態としてのＡＴＭセル伝送装置の構成を示すブロック図であるが、この図９に示すように、本実施形態におけるＡＴＭセル伝送装置は、第１実施形態におけるもの（図２参照）に比して、送信装置１が制御セル生成部（ＣＣＧ）１５を帯域測定・制御部１３とは個別にそなえるとともに、この制御セル生成部１５で生成された制御セルを専用で伝送する制御用伝送路４が送信装置１（制御セル生成部１５）と受信装置２（制御セル検出部２２Ａ）との間に介装されている点が異なる。
【００７２】
このため、送信装置１の帯域測定・制御部１３は、図１０に示すように、図３における制御セル生成部１３Ｃ及びセレクタ１３Ｄが省略された構成となっており、入力ＡＴＭセルがそのままバッファ１４へ出力されるようになっている。
このような構成により、本実施形態におけるＡＴＭセル伝送装置では、使用すべき光送信部１２−ｐの情報を有する制御セルを、制御用伝送路４を通じて、ＡＴＭセルとは別個に受信装置２へ送信することができるので、受信装置２では、制御セル検出部２２Ａにおいて、受信ＡＴＭセル群から制御セルを検出するといった特別な検出処理を施すことなく、直接的に、送信装置１からの制御セルを検出できる。
【００７３】
従って、受信装置２では、光受信部２１−ｐの駆動制御が単純化され、本伝送装置の低消費電力化，小型化にさらに寄与することとなる。
なお、本実施形態においても、光伝送路３は、図８により前述したごとく空間多重伝送路３′として構成してもよい。
（Ｃ）第３実施形態の説明
図１１は本発明の第３実施形態としてのＡＴＭセル伝送装置の構成を示すブロック図であるが、この図１１に示すように、本実施形態におけるＡＴＭセル伝送装置は、第１実施形態にて前述したもの（図２参照）に比して、制御セルの代わりに、帯域測定・制御部１３内の演算装置１３４で得られた駆動制御情報，ルーティング情報を制御信号として、制御信号線５を通じて、直接、各光受信部２１−ｐ，受信制御部２２に供給しうるように構成されている点が異なる。
【００７４】
このため、本実施形態における受信制御部２２は、図２に示す制御セル検出部２２Ａ，光受信・交換制御部２２Ｂに代えて、送信装置１からルーティング情報を直接受けて受信側ＡＴＭスイッチ２３による交換処理を制御する交換制御部２２Ｃをそなえて構成されている。
このような構成により、上述のＡＴＭセル伝送装置では、制御セルの検出を行なうことなく、送信装置１からの制御信号により、直接、使用すべき光送信部１２−ｐに対応した光受信部２１−ｐを駆動して、送信装置１からのＡＴＭセルを対応する光受信部２１−ｐで受信することができる。従って、本伝送装置のさらなる小型化，装置構成上の柔軟性に大いに寄与する。
【００７５】
なお、本実施形態においても、光伝送路３は、図８により前述したごとく空間多重伝送路３′として構成してもよい。
（Ｄ）第４実施形態の説明
図１２は本発明の第４実施形態としてのＡＴＭセル伝送装置の構成を示すブロック図であるが、この図１２に示すように、本実施形態におけるＡＴＭセル伝送装置は、第１実施形態にて前述したもの（図２参照）に比して、受信装置２が、受信ＡＴＭセルから障害を検出し検出した障害情報を送信装置１（帯域測定・制御部１３）へ提供しうる受信側障害検出部２４をそなえて構成されている点が異なる。
【００７６】
このため、送信装置１の帯域測定・制御部１３は、例えば図１３に示すように、図３に示した構成に加えて、入力ＡＴＭセルから障害を検出するとともに、上記障害検出部２４からの障害情報を受けうる送信側障害検出部１３Ｅをそなえて構成されており、この送信側障害検出部１３Ｅにて障害が検出されると、その障害情報が演算装置１３４に供給されて、その障害に関わる使用中の光送信部１２−ｐの代わりに、使用していない光送信部１２−ｐを駆動すべく、駆動制御情報，ルーティング情報が再生成されるようになっている。
【００７７】
つまり、本実施形態のＡＴＭセル伝送装置（送信装置１）は、複数の光送信部１２−ｐのうちの使用しない光送信部１２−ｐを障害発生時予備用光送信部として使用しうるようになっているのである。
従って、送信装置１では、何らかの障害が発生して使用中の光送信部１２−ｐが機能しなくなったとしても、その光送信部１２−ｐ（光経路）に代わって上記の予備用光送信部（未使用の光経路）が駆動されるので、正常に、ＡＴＭセルの送信処理を継続することができ、本装置の運用上の信頼性向上に大いに寄与することとなる。
【００７８】
なお、本実施形態においても、光伝送路３は、図８により前述したごとく空間多重伝送路３′として構成してもよい。
（Ｅ）第５実施形態の説明
図１４は本発明の第５実施形態としてのＡＴＭセル伝送装置の構成を示すブロック図であるが、この図１４に示すように、本実施形態におけるＡＴＭセル伝送装置は、第１実施形態にて前述した構成（図２参照）に加えて、送信装置１が送信側ＶＰ／ＶＣ変換部１６と送信側ＶＰ／ＶＣ変換テーブル１３８とをそなえるとともに、受信装置２が受信側ＶＰ／ＶＣ変換部２５と受信側ＶＰ／ＶＣ変換テーブル２２１をそなえて構成されている。
【００７９】
ここで、送信側ＶＰ／ＶＣ変換テーブル１３８は、例えば、この図１４中に拡大して示すように、入力ＡＴＭセルのＶＰ／ＶＣ値をＶＰ1 （ＶＣ1 ）→ＶＰ1 ′（ＶＣ1 ′），ＶＰ2 （ＶＣ2 ）→ＶＰ2 ′（ＶＣ2 ′），・・・というように変換するよう対応付けたもので、送信側ＶＰ／ＶＣ変換部１６が、このテーブル１３８に基づいて、入力ＡＴＭセルのヘッダ（タグ情報）を付け替えることにより、そのＡＴＭセルのＶＰ／ＶＣ値が上記のような所定値に変換されるようになっている。
【００８０】
なお、この送信側ＶＰ／ＶＣ変換テーブル１３８は、ここでは、帯域測定・制御部１３内のメモリ１３５（図３参照）に記憶されているものとする。
また、受信側ＶＰ／ＶＣ変換テーブル２２１は、送信側で変換されたＡＴＭセルのＶＰ／ＶＣ値を元の値に復元するためのもので、例えば図１４中に拡大して示すように、送信側のテーブル１３８とは逆に、受信ＡＴＭセルのＶＰ／ＶＣ値がＶＰ1 ′（ＶＣ1 ′）→ＶＰ1 （ＶＣ1 ），ＶＰ2 ′（ＶＣ2 ′）→ＶＰ2 （ＶＣ2 ），・・・というように変換されるよう対応付けられている。
【００８１】
そして、受信側ＶＰ／ＶＣ変換部２５は、このテーブル２２１に基づいて、受信ＡＴＭセルのヘッダを付け替えることにより、そのＡＴＭセルのＶＰ／ＶＣ値を元のＶＰ／ＶＣ値に変換して、ＡＴＭセルを送出することが可能となる。
つまり、本実施形態におけるＡＴＭセル伝送装置は、送信装置１が、ＡＴＭセルの論理チャネル情報を変更して送信側ＡＴＭＳＷ／ＸＣ部１１での交換を行なうように構成されるとともに、受信装置２が、変更された上記の論理チャネル情報を元の論理チャネル情報に変更するように構成されているのである。
【００８２】
上述のごとく構成された本実施形態における伝送装置では、各テーブル１３８，２２１の設定値を任意に定義することにより、送信装置１と受信装置２との間でのＡＴＭセルの使用ＶＰ／ＶＣを伝送装置内で独立して自由に設定することができる。従って、第１〜第４実施形態にて前述した装置と同様の効果が得られるほか、例えば、既存の伝送系への適用が容易になる等の効果が期待できる。
【００８３】
なお、上述のＶＰ／ＶＣ変換部１６，２５及び変換テーブル１３８，２２１は、第１〜第４実施形態における伝送装置に適用してもよい。また、本実施形態においても、光伝送路３は、図８により前述したごとく空間多重伝送路３′として構成してもよい。
（Ｆ）その他
なお、上述の各実施形態では、ＡＴＭセル伝送装置が、ＡＴＭセル送信装置１及びＡＴＭセル受信装置２の両方をそなえた構成となっているが、例えば、送信装置１のみをそなえて送信専用の伝送装置として構成してもよいし、受信装置２のみをそなえて受信専用の伝送装置として構成してもよい。従って、この場合は、本伝送装置の伝送システムへの適用範囲に幅ができ、システム構築上の柔軟性に大いに寄与することとなる。
【００８４】
【発明の効果】
以上詳述したように、本発明によれば、送信側では、入力固定長セルの帯域情報に基づきデータ（固定長セル）送信に必要な分だけの光送信部のみを駆動し、受信側では、送信側で駆動されている光送信部に対応した光受信部のみを駆動すすることにより、データ伝送に必要な分だけの光送信部，光受信部のみを使用して、空きセル等を送信することなく、効率良くデータ伝送を行なうので、装置全体の消費電力を大幅に削減することができるとともに、固定長セルの伝送を柔軟に行なうことができる。
【００８５】
具体的に、このとき、送信側から使用すべき光送信部の情報を有する制御セルを受信側に送信するようにすれば、受信側では、駆動すべき光受信部を、上記の制御セルを検出することで把握できる。従って、使用すべき光受信部を、常に確実に、駆動することができ、本装置の信頼性の向上にも大いに寄与する。
【００８６】
なお、この場合、上記の制御セルを専用で伝送する制御用伝送路を送信側と受信側との間に介装すれば、上記制御セルを固定長セルとは別個に受信側へ送信できるので、受信側では、受信固定長セル群から上記制御セルを検出するといった特別な検出処理を施すことなく、上記制御セルを検出できる。従って、受信側での光受信部の駆動制御が単純化され、本装置の低消費電力化，小型化にさらに寄与する。
【００８７】
ところで、送信側の交換部の入力側には、到着した固定長セルを蓄積するバッファを設けてもよいので、送信側では、入力固定長セルのデータ量や帯域情報などに変更があった場合でも、常に、固定長セルを損失することなく伝送することが可能になる。従って、この場合は、本装置の伝送時の信頼性が大幅に向上することになる。
【００８８】
また、具体的に、送信側では、固定長セルの論理チャネル情報を変更することにより、使用すべき（駆動されている）光送信部に固定長セルを供給する一方、受信側では、送信側で変更された論理チャネル情報を元の論理チャネル情報に変更するようにすれば、送信側と受信側との間での固定長セルの使用論理チャネルを伝送装置内で独立して自由に設定することができる。従って、例えば、既存の伝送系への適用が容易になる等の効果が期待できる。
【００８９】
なお、送信側において、複数の光送信部のうちの使用しない光送信部は、障害発生時予備用光送信部として使用するようにしてもよいので、送信側では、何らかの障害が発生して使用中の光送信部が機能しなくなったとしても、その光送信部に代わって上記の予備用光送信部が駆動されることにより、正常に、固定長セルの送信処理を継続することができ、本装置の運用上の信頼性向上にも大いに寄与する。
【００９０】
また、受信側では、送信側から送信されてくる使用すべき光送信部の情報に基づいて、対応した光受信部を駆動するようにすれば、上記制御セルに限らず、対応する光受信部を駆動して、送信側からの固定長セルを確実に受信することができ、装置構成上の柔軟性にも大いに寄与する。ただし、送信側が使用すべき光送信部の情報を有する制御セルを送信する場合は、その制御セルを検出することにより、極めて単純な制御で、使用すべき光受信部を確実に駆動して機能させることができる。
【００９１】
ところで、送信側と受信側との間に介装された光伝送路を、各光送信部からの光信号を多重する光信号多重伝送路として構成すれば、１本の光伝送路における帯域の有効利用を図ることができ、より効率的に、固定長セルの伝送を行なうことができるとともに、光伝送路のコストの低減にも大いに寄与する。
【００９２】
なお、この光伝送路は、各光送信部からの光信号をそれぞれ伝送しうる複数の光伝送路からなる空間多重伝送路として構成してもよく、この場合は、光送信部と光受信部とが１対１で接続されるので、例えば、光送信部，光受信部の増設などにも柔軟に対応することが可能になる。従って、本装置構成上の柔軟性にさらに寄与する。
【００９３】
また、具体的に、上述の使用すべき光送信部は、駆動制御信号を受けることにより駆動され、交換部へのルーチング制御信号により接続されている交換部の出口ポートから固定長セルの供給を受けるようにすることができるので、確実に、送信すべき固定長セルを光信号に変換して出力することができ、さらに本装置の信頼性の向上に寄与する。
【００９４】
さらに、使用すべき光送信部の決定に際しては、必要な情報として全体の使用帯域情報と各論理チャネル毎の使用帯域情報とを得るようにすることができるので、極めて単純な演算で、必要な帯域分の光送信部の数を算出・決定することができる。従って、常に高速に、使用すべき光送信部を決定でき、本装置の処理能力を大幅に向上させることができる。
【００９５】
また、上記の全使用帯域情報及び論理チャネル使用帯域情報を、それぞれ、所定のカウンタの計数値により得るようにすれば、極めて容易に且つ簡素に、上記の機能を実現することができる。
さらに、上述の駆動制御信号，ルーチング制御信号を、それぞれ、使用すべき光送信部毎に論理チャネルに対応した使用帯域情報を記憶部に記憶させておき、その記憶情報を順次更新しながら読み出すことにより得るようにすれば、極めて単純な制御で、常に、必要な分だけの光送信部を駆動させてその光送信部にデータ（固定長セル）を供給することができる。従って、確実に、本装置の簡素化，制御の高速化等を図ることができる。
【００９６】
なお、このとき、各光送信部のうちの使用しない光送信部には非駆動制御信号を出力（供給）するようにしてもよく、この場合は、より確実に、必要な分だけの光送信部のみを駆動させることができるので、本装置の信頼性のさらなる向上に大いに寄与する。
なお、本装置は、送信専用の伝送装置あるいは受信専用の伝送装置として構成してもよいので、本装置の伝送システムへの適用範囲に幅ができ、システム構築上の柔軟性にも大いに寄与する。
【図面の簡単な説明】
【図１】本発明の原理ブロック図である。
【図２】本発明の第１実施形態としてのＡＴＭセル伝送装置の構成を示すブロック図である。
【図３】第１実施形態のＡＴＭセル伝送装置における帯域測定・制御部の構成を示すブロック図である。
【図４】第１実施形態のＡＴＭセル伝送装置におけるセレクタ・カウンタ部の構成を示すブロック図である。
【図５】第１実施形態のＡＴＭセル伝送装置における送信側ＡＴＭＳＷ／ＸＣ部の構成を示すブロック図である。
【図６】第１実施形態のＡＴＭセル伝送装置の動作を説明するための図である。
【図７】第１実施形態のＡＴＭセル伝送装置の動作を説明するための図である。
【図８】第１実施形態のＡＴＭセル伝送装置の変形例を示すブロック図である。
【図９】本発明の第２実施形態としてのＡＴＭセル伝送装置の構成を示すブロック図である。
【図１０】第２実施形態のＡＴＭセル伝送装置における帯域測定・制御部の構成を示すブロック図である。
【図１１】本発明の第３実施形態としてのＡＴＭセル伝送装置の構成を示すブロック図である。
【図１２】本発明の第４実施形態としてのＡＴＭセル伝送装置の構成を示すブロック図である。
【図１３】第４実施形態のＡＴＭセル伝送装置における帯域測定・制御部の構成を示すブロック図である。
【図１４】本発明の第５実施形態としてのＡＴＭセル伝送装置の構成を示すブロック図である。
【図１５】ＡＴＭセル伝送装置の一例を示すブロック図である。
【符号の説明】
１  固定長セル（ＡＴＭセル）送信装置
２  固定長セル（ＡＴＭセル）受信装置
３  光伝送路（光信号多重伝送路）
３′光伝送路（空間多重伝送路）
３−１〜３−ｎ  光伝送路（光ファイバ）
４  制御用伝送路
５  制御信号線
１１  交換部（送信側ＡＴＭＳＷ／ＸＣ部）
１１−１〜１１−ｎ  出口ポート
１２−１〜１２−ｎ  光送信部（光送信器，光送信モジュール，Ｅ／Ｏ変換部）
１３  帯域測定・制御部
１３Ａ  帯域情報測定部
１３Ｂ  送信制御部
１３Ｃ，１５  制御セル生成部（ＣＣＧ）
１３Ｄ，１３６  セレクタ（ＳＥＬ）
１３Ｅ  送信側障害検出部
１４，２４−１〜２４−ｎ  バッファ
１６  送信側ＶＰ／ＶＣ変換部
２１−１〜２１−ｎ  光受信部（光受信モジュール，Ｏ／Ｅ変換部）
２２  受信制御部
２２Ａ  制御セル検出部
２２Ｂ  光受信・交換制御部
２２Ｃ  交換制御部
２３  受信側ＡＴＭスイッチ（ＭＵＸ）
２４  受信側障害検出部
２５  受信側ＶＰ／ＶＣ変換部
１１１，１３１  ＶＰＩ／ＶＣＩ検出部（論理チャネル情報検出部）
１１２  照合部
１１３  送信側ＡＴＭスイッチ（ＭＵＸ）
１３２  カウンタ（全使用帯域情報測定部）
１３３  セレクタ・カウンタ部
１３４  演算装置（ＣＰＵ：使用数決定部／駆動制御信号出力部／ルーティング制御信号出力部）
１３５  メモリ（記憶部）
１３７−１〜１３７−Ｍ  カウンタ
１３８  送信側ＶＰ／ＶＣ変換テーブル
２２１  受信側ＶＰ／ＶＣ変換テーブル
【図１】
0003765512.tif 000002
【図２】
0003765512.tif 000003
【図３】
0003765512.tif 000004
【図４】
0003765512.tif 000005
【図５】
0003765512.tif 000006
【図６】
0003765512.tif 000007
【図７】
0003765512.tif 000008
【図８】
0003765512.tif 000009
【図９】
0003765512.tif 000010
【図１０】
0003765512.tif 000011
【図１１】
0003765512.tif 000012
【図１２】
0003765512.tif 000013
【図１３】
0003765512.tif 000014
【図１４】
0003765512.tif 000015
【図１５】
0003765512.tif 000016